(57)【特許請求の範囲】
【請求項１】
表示装置（２５）と、
前記表示装置（２５）の側方に設けられるセレクトキー（３０、………３５）を有し、
該セレクトキー（３０，………３５）に前記表示装置（２５）に表示可能な個々の操作機能（７０，………７５）が割当てられている放送受信機（１）において、
回転スイッチ（４０）が設けられており、該回転スイッチ（４０）を用いて少なくとも１つの所定のメモリ領域（１０，１１，１２）がアドレス指定可能であり、前記セレクトキー（３０，………３５）によって少なくとも１つの所定のメモリ領域（１０，１１，１２）のメモリスペース（１５，………２０）がアドレス指定可能であり、当該放送受信機（１）の表示装置（２５）に表示される少なくとも１つの操作機能（７０，………７５）が、一方では前記回転スイッチ（４０）のまた他方では任意のセレクトキー（３０，………３５）の同時もしくは順次連続した操作によって、少なくとも１つのメモリ領域（１０，１１，１２）における前記任意のセレクトキー（３０，………３５）によってアドレス指定されたメモリスペース（１５，………２０）に記憶可能であるように構成されていることを特徴とする、放送受信機。
【請求項２】
メニューキー（４５）が設けられており、該メニューキー（４５）の操作によって、少なくとも１つの所定のメモリ領域（１０，１１，１２）の内容が表示装置（２５）に表示可能であり、前記セレクトキー（３０，………３５）の各々に、操作機能（７０，………７５）が割当てられており、該操作機能（７０，………７５）はセレクトキー（３０，………３５）によってアドレス指定されたメモリスペース（１５，………２０）に記憶されており、前記セレクトキー（３０，………３５）の操作によって、それに割当てられている操作機能（７０，………７５）が活性化される、請求項１記載の放送受信機。
【請求項３】
前記メニューキー（４５）の操作によって操作メニューが選択可能であり、さらに前記表示装置（２５）への表示も可能である、請求項１または２記載の放送受信機。
【請求項４】
前記回転スイッチ（４０）および順次連続して操作される少なくとも１つのセレクトキー（３０，………３５）の操作の後で、目下表示装置（２５）に表示された操作メニューの当該セレクトキー（３０，………３５）に割当てられた操作機能（７０，………７５）が、前記回転スイッチ（４０）によってアドレス指定された少なくとも１つの所定のメモリ領域（１０，１１，１２）の、前記任意のセレクトキー（３０，………３５）の操作によってアドレス指定されるメモリスペース（１５，………２０）に記憶可能である、請求項１〜３いずれか１項記載の放送受信機。
【請求項５】
選択された少なくとも１つの操作機能（７０，………７５）のメモリスペース（１５，………２０）への記憶が行われる前に、前記回転スイッチ（４０）の新たな操作が行われる、請求項１〜４いずれか１項記載の放送受信機。
【請求項６】
テキスト入力機能が設けられており、該テキスト入力機能を用いてメモリスペース（１５，………２０）の少なくとも１つの操作機能（７０，………７５）に１つの機能名が割当て可能であり、該機能名は当該メモリスペース（１５，………２０）に記憶可能である、請求項１〜５いずれか１項記載の放送受信機。
【請求項７】
カードリーダ（５０）がカードスロット（５５）内に設けられており、少なくとも１つの所定のメモリ領域（１０，１１，１２）が前記カードスロット（５５）に挿入されるチップカード（５）の相応の所定のメモリ領域（６０，６１，６２）内に記憶可能である、請求項１〜６いずれか１項記載の放送受信機。
【請求項８】
前記カードスロット（５５）内へのチップカード（５）の挿入の後で、ロード過程が行われ、該ロード過程では、チップカード（５）の所定のメモリ領域（６０，６１，６２）が当該放送受信機（１）の少なくとも１つの所定のメモリ領域（１０，１１，１２）にコピーされる、請求項７記載の放送受信機。
【請求項９】
カードリーダ（５０）がカードスロット（５５）内に設けられており、少なくとも１つの所定のメモリ領域（１０，１１，１２）が前記カードスロット（５５）内に挿入されるチップカード（５）上に設けられている、請求項１〜８いずれか１項記載の放送受信機。
【発明の詳細な説明】
従来の技術
本発明は請求項１の上位概念による放送受信機に関する。
ユーザ固有の操作メニューを作成し記憶するための方法は、コンピュータの操作画面の形成のために既に公知である。
ブラオプンクト社のカタログ文献
0004152447.tif 000002
からは、既にカーラジオ“New York RDM 127”タイプが公知である。このカーラジオでは表示装置とこの表示装置に隣接して配置される複数のセレクトキーが設けられており、これらのキーには表示装置において表示可能な操作機能が割当てられている。この場合これらの操作機能は、メニュー制御されて表示装置に表示される。但しこれらの操作キーへの操作機能の割当ては、ユーザによって制御できない。
発明の利点
それに対して請求項１の特徴部分に記載の本発明による方法は次のような利点を有している。すなわち自動セットアップされる操作メニューにおける設定と希望に従って放送受信機の操作機能もユーザーにより配置構成可能なことである。これによりユーザー自身に対する放送受信機の操作性も向上する。なぜなら操作画面自体も必要に応じて自ら構成可能だからである。それにより例えば頻繁に利用される操作機能によって築き上げられる操作メニューを作成することも可能である。
請求項２および３に記載の手段によれば、請求項１に記載の本発明による方法の別の有利な実施例ないし改善例が可能である。
特に有利には、一連の操作機能がメニュー制御されて読出され、これらの一連の操作機能が少なくとも１つのメモリスペースに記憶される。これにより、複数の操作機能のチェーン化によって新たな操作機能が個別に作成可能となる。それにより操作ステップの簡素化と共に操作の簡易化並びにユーザーに対する操作性の向上が可能となる。
その他にも有利には、一連の操作機能に機能名が割当てられ、この機能名も同じように少なくとも１つの所定の記憶領域において対応するメモリスペースに記憶される。これにより、一連の操作機能がユーザーに対して作成された操作メニューの読出しの後で機能名の表示によって同定化され、その他の操作機能とは区別される。
請求項４の特徴部分に記載の本発明による放送受信機は次のような利点を有している。すなわちユーザー固有の操作メニューの作成と記憶が可能となる利点を有している。これによりユーザーにとって操作性の向上が望める。なぜなら操作メニューにおいて複数の操作機能の配置構成が自身の要望と必要性に応じて適合化できるからである。それにより例えば特に頻繁に利用される操作機能を備えた操作メニューの作成が可能となる。
請求項５〜１１に記載の手段によれば、請求項４に記載された放送受信機の別の有利な実施例および改善例が可能である。
有利には、１つのメニューキーが設けられ、その操作によって、少なくとも１つの設定されたメモリ領域の内容が表示装置に表示される。この場合各セレクトキーにはこのセレクトキーによってアドレス指定されたメモリスペースに記憶されている機能が割当てられており、さらに当該セレクトキーの操作によって、それに割当てられている操作機能が活動化される。これにより放送受信機のユーザーに対して、個別に配置構成された複数の操作機能を有するユーザー固有の操作メニューがその他に設定されている各操作メニューと同じように得られる。それにより、表示の統一性とユーザーにとっての見やすさが維持され続ける。
さらに有利には、メニューキーの操作によって、１つの操作メニューが選択され、表示装置への表示が成し遂げられ、操作素子とセレクトキーの操作の後でこのセレクトキーに割当てられている目下の表示装置に表示された操作メニューの操作機能が、操作素子によってアドレス指定された少なくとも１つの所定のメモリ領域における、任意のセレクトキー操作によってアドレス指定されるメモリスペースへ記憶される。このようにして、ユーザー固有の操作メニューが特に簡単に実現される。
特に有利には、選択された少なくとも１つの操作機能のメモリスペースへの記憶が行われる前に、操作素子の新たな操作が行われる。これにより、一連の操作機能の固有のメモリスペースへの記憶が可能となる。この場合一連の操作機能の終結が、操作素子の新たな操作によって特徴付けられ、そのためセレクトキーのそれに続く操作が当該一連の操作機能に対するメモリスペースのアドレス指定として解釈される。それと共に一連の操作機能実現のための多数の操作過程が唯一の操作機能によって統合され、それによってユーザーに対する操作過程の数が著しく低減され、操作自体もより簡単に快適となる。
その他にも有利には、テキスト入力機能が設けられる。この機能を用いてメモリスペース上で少なくとも１つの操作機能に１つの機能名が割当てられ、メモリスペースへこの機能名が記憶される。このことはとりわけ新たな操作機能のもとでの一連の操作機能の統合に対して意味がある。なぜならこの新たな操作機能は、個々の機能名によって同定され、その他の操作機能と区別可能になるからである。
さらに別の実施例によれば有利には、カードリーダがカードスリット何に設けられており、少なくとも１つの所定のメモリ領域が、このカードスリット内へ挿入されるチップカードの相応の所定の記憶領域内へ記憶可能であり、カードスリット内へのチップカードの挿入の後でロード過程が実施され、その際チップカードの所定の記憶領域が放送受信機の少なくとも１つの所定のメモリ領域へコピーされる。これにより放送受信機において相応のメモリ容量を準備することなく、放送受信機の表示装置へ複数のユーザーのユーザー固有の操作メニューが表示される。なぜなら目下のユーザーに対するユーザー固有の操作メニューがチップカードから放送受信へロードされるからである。それによって放送受信機は、多くのユーザーに対して個別に利用可能となる。個々の操作メニューはユーザー固有のチップカードに記憶されている。
その他にも有利には、少なくとも１つの所定のメモリ領域がカードスロット内へ挿入されるチップカードに設けられる。これにより、ユーザー固有の操作メニューの放送受信機内への記憶のために設けられるメモリスペースが節約可能である。
図面
図面には本発明の実施例が示されており、これは以下の明細書で詳細に説明される。この場合
図１は、本発明による放送受信機の操作フロントパネルを示しており、
図２は、本発明による放送受信機のブロック回路図であり、
図３は、本発明による放送受信機の機能性を説明するためのフローチャートである。
実施例の説明
次に本発明を図面に基づき以下の明細書で詳細に説明する。
図１にはカーラジオとして構成された放送受信機１の操作フロントパネル６５が本発明に関われる領域部分で示されている。この場合この操作フロントパネル６５は、表示装置２５を含んでおり、これは例えば液晶ディスプレイとして構成されていてもよい。この場合この表示装置２５は、矩形状に構成されている。それぞれ３つの行からなる２つの列において、表示装置２５には６つの操作機能７０，７１，７２，７３，７４，７５がグラフィック表示可能である。この場合左側の列には、第１の操作機能７０と第２の操作機能７１と第３の操作機能７２が表示可能であり、右側の列には、第４の操作機能７３と第５の操作機能７４と第６の操作機能７５が表示可能である。操作機能７０〜７５には、表示装置２５の左側縁部と右側縁部においてセレクトキー３０〜３５が空間的にかつ機能的に割当てられている。それにより、第１の操作機能７０には表示装置２５の左側縁部の第１のセレクトキー３０が割当てられ、第２の操作機能７１には表示装置２５の左側縁部の第２のセレクトキー３１が割当てられ、第３の操作機能７２には表示装置２５の左側縁部の第３のセレクトキー３２が割当てられている。第４の操作機能７３には表示装置２５の右側縁部の第４のセレクトキー３３が割当てられ、第５の操作機能７４には表示装置２５の右側縁部の第５のセレクトキー３４が割当てられ、第６の操作機能７５には表示装置２５の右側縁部の第６のセレクトキー３５が空間的かつ機能的に割当てられている。これらのセレクトキー３０〜３５の中の１つの操作によって、それらに割当てられている表示装置２５に表示された操作機能７０〜７５が活性化され、実施される。操作フロントパネル６５はさらにメニューキー４５と操作素子４０を含んでいる。メニューキー４５の操作によって、設定されたユーザー固有の操作メニューがそれぞれ６つまでの操作機能７０〜７５を伴って表示装置２５に表示すべく順次周期的に繰り返し現われる。その際メニューキー４５の各操作毎に次の操作メニューへの切換が行われる。操作素子４０の操作によっては、ユーザー固有の操作メニューに対するメモリ領域がアドレス指定可能である。
図２には本発明による放送受信機１のブロック回路図が示されている。この場合本発明に係わる放送受信機１の要素が示されている。この放送受信機１は書込み/読出しメモリ９０を含んでおり、これは制御ユニット８０に接続されている。制御ユニット８０にはその他にも表示装置２５とキーボード８５が接続されている。このキーボード８５に前記セレクトキー３０〜３５、メニューキー４５、操作素子４０が含まれている。制御ユニット８０は、その他にカードスリット５内に設けられているカードリーダ５０にも接続されている。このカードリーダ５０は、カードスロット５５内でチップカード５のチップのコンタクトと接触する。これにより、チップカード５の書込み/読出しメモリ９５がカードリーダ５０を介して制御ユニット８０に接続される。放送受信機１の書込み/読出しメモリ９０は、第１の所定のメモリ領域１０と、第２の所定のメモリ領域１１と、第３の所定のメモリ領域１２と、場合によってはさらなるメモリ領域（図中点線で示されている）を含んでいる。チップカード５の書込み/読出しメモリ９５も第１の所定のメモリ領域６０と、第２の所定のメモリ領域６１と、第３の所定のメモリ領域６２および場合によってはさらなる所定のメモリ領域（図中点線で示されているように）を含んでいる。この場合チップカード５の書込み/読出しメモリ９５内に設けられたメモリ領域６０，６１，６２の数は有利には、放送受信機１の書込み/読出しメモリ９０内に設けられたメモリ領域１０，１１，１２の数に相応する。放送受信機１の書込み/読出しメモリ９０の所定のメモリ領域１０，１１，１２と、チップカード５の書込み/読出しメモリ９５の所定のメモリ領域６０，６１，６２はそれぞれ６つのメモリスペース１５〜２０に分割される。これらの各メモリスペース１５〜２０には、放送受信機１の操作機能が記憶可能である。所定のメモリ領域１０，１１，１２，６０，６１，６２の各々には、それぞれ１つの完全な操作メニューが表示装置２５に表示され得るように記憶可能である。この場合前記各メモリ領域１０，１１，１２，６０，６１，６２に対し、第１のメモリスペース１５は相応の操作メニューの第１の操作機能７０に対して設けられ、第２のメモリスペース１６は相応の操作メニューの第２の操作機能７１に対して設けられ、第３のメモリスペース１７は相応の操作メニューの第３の操作機能７２に対して設けられ、第４のメモリスペース１８は相応の操作メニューの第４の操作機能７３に対して設けられ、第５のメモリスペース１９は相応の操作メニューの第５の操作機能７４に対して設けられ、第６のメモリスペース２０は相応の操作メニューの第６の操作機能７５に対して設けられている。この場合前記所定のメモリ領域１０，１１，１２，６０，６１，６２にはユーザーによって作成されたユーザー固有の操作メニューのみが記憶されるだけでよい。その際の記憶処理は、制御ユニット８０によってキーボード８５からの入力に依存して制御される。制御ユニット８０は、そのつどキーボード８５を介して設定されるないしは選択される操作メニューの表示装置２５への表示も制御する。
図２によるブロック回路の作用は、図３のフローチャートに基づいて説明する。放送受信機１がスイッチオンされた後では、メニューキー４５の操作によって、予め設定されているユーザー固有の操作メニュー間並びに表示装置２５へのその表示との間で切換えが行われる。所定の領域１０，１１，１２のみが放送受信機１内に設けられているならば、操作素子４０はキースイッチとして構成されてもよい。しかしながら放送受信機１内にさらに多くの複数の所定のメモリ領域１０，１１，１２があるならば、多段の操作素子４０、例えば回転スイッチなどの使用が推奨される。これは同時にプッシュスイッチとしても実現される。個々の所定のメモリ領域は、回転スイッチ４０の種々異なる位置によってアドレス指定される。この場合プッシュスイッチ４０のプッシュによって記憶過程が開始される。多数の所定のメモリ領域１０，１１，１２にも係わらずに１つのキースイッチが操作素子４０として使用される場合には、このキースイッチ４０の実現を次にように行ってもよい。すなわち異なるメモリ領域１０，１１，１２のアドレス指定並びにメモリ過程の開始を、キースイッチ４０の種々異なる操作時間によって実現するようにしてもよい。操作素子４０の回転スイッチとしての構成のもとでは、記憶過程の導入に対する回転スイッチの位置を設けてもよい。それにより操作素子４０の付加的なプッシュスイッチング機能は必要なくなる。
表示装置２５への操作メニューの表示のためのメニューキー４５の操作の後では、制御ユニット８０においてプログラムが開始される。このプログラムは、プログラムステップ１００において、操作素子４０の操作によって所定のメモリ領域１０，１１，１２がアドレス指定されたか否かが検査される。この問合せがイエスの場合には、プログラムステップ１１０に分岐し、ノーの場合には、プログラムステップ１０５に分岐する。プログラムステップ１０５では待機ループが実施され、再びプログラムステップ１００にフィードバックされる。プログラムステップ１１０では、操作素子４０によって選択された所定のメモリ領域１０，１１，１２が制御ユニット８０によってアドレス指定される。プログラムステップ１１５では制御ユニット８０によって、セレクトキー３０〜３５のうちの１つがプッシュされたか否かが検査される。プッシュされた場合つまりイエスの場合には、プログラムステップ１３０に分岐され、プッシュされていない場合つまりノーの場合には、プログラムステップ１２０に分岐される。このプログラムステップ１２０では、制御ユニット８０によって、記憶過程が中断されたか否かが問合せされる。これに対しては例えば回転スイッチとして構成された操作素子４０のもとでさらなるスイッチ位置が設けられてもよいし、あるいはキースイッチとしての操作素子４０の構成のもとで固有の操作時間が設定されてもよい。さらに付加的なキーを記憶過程の中断のために操作フロントパネル６５に設けることも考えられる。制御ユニット８０がプログラムステップ１２０のもとで記憶過程を中断させるべきことを検出した場合には、当該プログラムが終了され、その他の場合には、プログラムステップ１２５へ分岐されてそこで待機ループが実行される。この待機ループの実行の後では再びプログラムステップ１１５にフィードバックされる。プログラムステップ１３０では、プッシュされたセレクトキー３０〜３５に割当てられた表示装置２５の操作機能７０〜７５が選択される。プログラムステップ１３５では、セレクトキー３０〜３５が新たに操作されたか否かが検査される。この結果がイエスの場合には、プログラムステップ１３０にフィードバックされ、選択された操作機能７０〜７５が既に事前に選択された操作機能７０〜７５にくみされる。それにより一連の操作機能７０〜７５が生じる。その際種々の操作メニューの操作機能も相応のメニューキー４５の操作によってそのような一連の操作機能７０〜７５の形成のために用いられてもよい。プログラムステップ１３５においてセレクトキー３０〜３５の新たな操作が制御ユニット８０によって何も識別されなかった場合には、プログラムステップ１４０に分岐される。このプログラムステップ１４０では、操作素子４０によって記憶過程が開始されたか否かが検査される。開始された場合には、プログラムステップ１５５に分岐され、その他の場合には、プログラムステップ１４５に分岐される。この風呂グラムステップ１４５では、記憶過程が既に前述したように終了されているか否かが検査される。終了されている場合には、当該プログラムが終了され、その他の場合は、プログラムステップ１５０に分岐される。このプログラムステップ１５０では待機ループが実行され、引続きプログラムステップ１３５にフィードバックされる。前記プログラムステップ１５５では、セレクトキー３０〜３５が操作されたか否かが検査される。操作された場合には、プログラムステップ１７０に分岐され、その他の場合には、プログラムステップ１６０に分岐される。このプログラムステップ１６０では記憶過程が既に前述したように終了されるべきか否かが検査される。イエスの場合には、当該プログラムからの逸脱が試みられ、その他の場合はプログラムステップ１６５に分岐される。プログラムステップ１６５では、待機ループが実行され、引続きプログラムステップ１５５へフィードバックされる。プログラムステップ１７０では選択された操作機能７０〜７５ないしは選択された一連の操作機能７０〜７５が、最後に行われたセレクトキー３０〜３５の操作によってアドレス指定された、放送受信機１の選択された所定のメモリ領域１０，１１，１２のメモリスペース１５〜２０に記憶される。プログラムステップ１７５では記憶過程が前述したように終了されたか否かが検査される。イエスの場合には当該プログラムからの逸脱が試みられ、その他の場合には、プログラムステップ１００にフィードバックされる。
少なくとも１つの記憶すべき操作機能７０〜７５の既に行われた選択の後での操作素子４０の操作によって、記憶過程の開始前に、別の所定のメモリ領域１０，１１，１２が選択されたならば、当該選択が無効のまま記憶過程の開始として評価される。それ故に記憶過程の開始のための操作素子４０の特有の操作時間ないしは回転位置を省くことも可能である。それに対して操作素子４０の操作による最初の操作機能７０〜７５の選択前の所定のメモリ領域１０，１１，１２の選択の変更も可能である。
記憶過程の終了の後でカードスロット５５からのチップカード５の抜き取り前に、制御ユニット８０は放送受信機１の書込み/読出しメモリ９０の内容によるチップカード５の書込み/読出しメモリ９５の上書きを引き起こす。これによりユーザー固有の操作メニューがチップカード５に記憶される。
カードスロット５５へのチップカード５の挿入の際には制御ユニット８０によってチップカード５の書込み/読出しメモリ９５のコンタクトの検出後にカードリーダ５０によってロード過程が開始される。この場合チップカード５の書込み/読出しメモリの内容が放送受信機１の書込み/読出しメモリ９０へコピーされる。このようにして書込み/読出しメモリ９０は、そのつどのチップカード５所有者のユーザー固有の操作メニューを受け取る。表示装置２５への表示に際しては、制御ユニット８０によってユーザー固有の操作メニューが放送受信機１の書込み/読出しメモリ９０から呼出される。
それに対してカードリーダ５０はチップカード５の書込み/読出しメモリ９５からデータを読出すこともできるし、チップカード５の書込み/読出しメモリ９５へデータを書込むこともできる。
放送受信機１内のメモリスペースの節約のために、放送受信機１の書込み/読出しメモリ９０を省くことも可能である。この場合制御ユニット８０はユーザー固有の操作メニューを、カードスロット５５に挿入されたチップカード５の書込み/読出しメモリ９５に直接記憶するか、ないしは表示装置２５へのユーザー固有の操作メニューの表示のためにあるいはそこに存在する操作機能７０〜７５の活性化のために当該ユーザー固有の操作メニューをチップカード５の書込み/読出しメモリ９５から直接呼出す。
前記操作機能７０〜７５は所定のメモリ領域１０，１１，１２，６０，６１，６２に記憶されるべく、純粋にソフトウエア的に実行されなければならないので、ユーザー固有の操作メニューは、外部のデータ処理装置、例えば相応のカードスロットとカードリーダ並びに実行されるべきソフトウエアを備えたコンピュータからこのカードスロットに挿入されるチップカード５の書込み/読出しメモリ９５に記憶されてもよい。
ユーザーによってメモリスペース１５〜２０へ記憶された操作機能７０〜７５または一連の操作機能７０〜７５は、ユーザー自身によってそれぞれ固有に選択された１つの機能名によって特徴付けられ、対応付けされたメモリスペース１５〜２０に記憶される。この機能名の入力に対しては放送受信機１ないしデータ処理装置内にテキスト入力機能が設けられていてもよい。それによって、ユーザーは機能名をアルファベットで入力することができる。この場合テキスト入力は、有利には図３のプログラムステップ１４０に続けて直接行われる。その際テキスト入力機能は当業者にとって例えば相応のオーディオ機器におけるコンパクトディスクのネーミングによって公知の手法で実現されてもよい。操作機能７０〜７５ないしは一連の操作機能７０〜７５と共に、これらの機能名は、相応のメモリスペース１５〜２０に記憶され、相応のユーザー固有の操作メニューが呼出された後では、表示装置２５の相応の位置へ表示される。
放送受信機１の固定的に設定された操作メニューも、ユーザー固有の操作メニューも、メニューキー４５の操作によって選択可能であり、表示装置２５にも表示可能である。セレクトキー３０〜３５の操作によっては、それらに対応付けされ表示装置２５に表示された操作機能７０〜７５が活性化される。
ユーザー固有の操作メニューへの記憶のための操作機能７０〜７５の選択は、必ずしもメニュー制御されて行われる必要はない。そのため操作素子４０の操作の後では（これは引続き選択された操作機能７０〜７５の活性化を阻止しユーザー固有の操作メニューへのその記憶を準備する）、操作機能７０〜７５がそれらに固定的に割当てられた放送受信機１の操作フロントパネル６５のキーの操作によって選択されてもよい。
チップカード５へのユーザー固有の操作メニューの記憶を省きたい場合には、複数のユーザーに対して各ユーザー固有の操作メニューの作成（セットアップ）と記憶を可能にするために、放送受信機１の書込み/読出しメモリ９０が場合によっては多数の所定のメモリ領域１０，１１，１２を備えていてもよい。
ユーザー固有の操作メニューのセットアップに対しては、放送受信機１内で設定された操作メニューの操作機能７０〜７５も、既に作成されて記憶されているユーザー固有の操作メニューの操作機能も利用することができる。
【図１】
0004152447.tif 000003
【図２】
0004152447.tif 000004
【図３】
0004152447.tif 000005